(57)【要約】【課題】印刷インキによる透かしが鮮明に視認でき、透かし部分に記載された電子ペンによる記載情報を確実に読み取ることができる透かし入り電子ペン用紙を提供することを目的とする。【解決手段】情報記載面に電子ペンにより情報が記載されると、ペン先が置かれた近傍に印刷されたドットパターンが電子ペンに内蔵された撮像部で読み取られ、ペンに搭載された送信部から外部通信装置に伝送されるデータ入力システムに使用される電子ペン用紙であって、前記ドットパターンが印刷された面の裏面にパターン化された透かしが赤外領域の光を吸収しないインキによって印刷された透かし入り電子ペン用紙を提供する。【選択図】  図１
2011124903.tif 000002
【特許請求の範囲】
【請求項１】
情報記載面に電子ペンにより情報が記載されると、ペン先が置かれた近傍に印刷されたドットパターンが電子ペンに内蔵された撮像部で読み取られ、ペンに搭載された送信部から外部通信装置に伝送されるデータ入力システムに使用される電子ペン用紙であって、
前記ドットパターンが印刷された面の裏面にパターン化された透かしが赤外領域の光を吸収しないインキによって印刷されたことを特徴とする透かし入り電子ペン用紙。
【請求項２】
請求項１に記載の透かし入り電子ペン用紙において、
パターン化された透かしは、ドットパターンが印刷された面から見て透かしパターンの原画と同じ向きになっていることを特徴とする透かし入り電子ペン用紙。
【発明の詳細な説明】
【技術分野】
【０００１】
本発明は、不正に使用されることを防止するため電子ペン用紙に透かしを入れた透かし入り電子ペン用紙に関する。
【背景技術】
【０００２】
金融機関などで使用される預り証は業務効率を上げるために電子ペン用紙に切り替わってきている。
電子ペン用紙には微細なドットが印刷されていて、情報記載面に電子ペンにより情報が記載されると、ペン先が置かれた近傍に印刷されたドットパターンが電子ペンに内蔵された撮像部で読み取られ、記載情報がペンに搭載された送信部から外部通信装置に伝送されるようになっている。
一方、コピー機の性能が向上し、前述の預り証が、預かり証用紙に印刷されたドットパターンごとコピーされて不正に使用される事例が発生している。
そこで、印刷される情報の線幅やドットを用いて透かし情報を表現したり地紋や背景に透かし情報を埋め込んだりするものにおいては、透かし情報を認識するために、印刷された透かし情報とその印刷面との間で透かし情報を認識可能な程度のコントラストが必要になり、透かし情報を埋め込む領域が限定されてしまう。また、線幅の変化の度合いやドットの大きさによっては、透かし情報を保持した状態で複写することができてしまうという課題があった。この課題を解決するために透かし情報を埋め込むことができる領域が限定されることがなく、かつ、複写した場合に透かし情報を認識不可能とすることができる印刷物の製造方法が提供されている（特許文献１参照）。
【先行技術文献】
【特許文献】
【０００３】
【特許文献１】特開２００７−２６８９０４号公報
【発明の概要】
【発明が解決しようとする課題】
【０００４】
特許文献１に記載の発明は、表示情報が印刷されるとともに、透かし情報が埋め込まれた印刷物を製造する際に、カーボンが含まれないインキを用いて媒体上に黒色を具備する表示情報を印刷する工程と、表示情報が印刷された媒体上にカーボンが含有された黒色インキを用いて透かし情報を構成するドットパターンを印刷する工程を有する印刷物の製造方法である。
【０００５】
そこで、本発明の透かし入り電子ペン用紙は印刷インキによる透かしが鮮明に視認でき、透かし部分に記載された電子ペンによる記載情報を確実に読み取ることができる透かし入り電子ペン用紙を提供することを目的とするものである。
【課題を解決するための手段】
【０００６】
前記課題の目的を達成するために、本発明の透かし入り電子ペン用紙の第一の態様は、情報記載面に電子ペンにより情報が記載されると、ペン先が置かれた近傍に印刷されたドットパターンが電子ペンに内蔵された撮像部で読み取られ、ペンに搭載された送信部から外部通信装置に伝送されるデータ入力システムに使用される電子ペン用紙であって、前記ドットパターンが印刷された面の裏面にパターン化された透かしが赤外領域の光を吸収しないインキによって印刷されたことを特徴とするものである。
【０００７】
また、第二の態様、第一の態様において、パターン化された透かしは、ドットパターンが印刷された面から見て透かしパターンの原画と同じ向きになっていることを特徴とするものである。
【発明の効果】
【０００８】
１）第一の態様のように、情報記載面に電子ペンにより情報が記載されると、ペン先が置かれた近傍に印刷されたドットパターンが電子ペンに内蔵された撮像部で読み取られ、ペンに搭載された送信部から外部通信装置に伝送されるデータ入力システムに使用される電子ペン用紙であって、前記ドットパターンが印刷された面の裏面にパターン化された透かしが赤外領域の光を吸収しないインキによって印刷されたことによって、透かしインキは紙の裏面に形成されているためにドットパターンが透かしインキの上面に形成されても、ドットパターンインキと透かしインキは接触していないために、ドットパターンインキと紙面との接着強度が低下することない。その結果、記載情報の読み取りに必要なドットパターンが擦れ等によって欠落したり、形状が変化することがないため用紙に透かしが形成されても、そのことによって記載情報の読み取り不良を引き起こすことがない。
また、透かし部分をコピー機によって再現することはできないために、複写された電子ペン用紙を容易に判別することができる。
２）また、第二の態様のように、第一の態様において、パターン化された透かしは、ドットパターンが印刷された面から見て透かしパターンの原画と同じ向きになっていることによって、透かし部分を情報記載面から見たときに、印刷された透かしパターンを正確に視認することができる。
【図面の簡単な説明】
【０００９】
【図１】本実施の形態の透かし入り電子ペン用紙の一例について説明するための図である。
【図２】図１のＡ−Ａ線断面について説明するための図である。
【図３】透かしがドットパターンと同一面に印刷された例について説明するための図である。
【図４】電子ペンの一例について説明するための図である。
【図５】電子ペン読み取り専用のドットパターンについて説明するための図である。
【発明を実施するための形態】
【００１０】
ここで、スウェーデンの「Ａｎｏｔｏ社」が開発したデータ入力システムで、「アノトペン」と呼ばれる電子ペンと、所定のドットパターンが印刷された電子ペン書き込み専用用紙（以下、電子ペン用紙という）によって、記載された情報をその場で電子化情報とし通信装置に送信するシステムについて説明する。
電子ペンは、通常の筆記部と、筆記部によって用紙の記載面に記載された情報を用紙の記載面に印刷されたドットパターン情報として読み取るための撮像部と、読み取ったドットパターン情報を送信するための通信部等を搭載している。
記載者が電子ペン用紙の上に文字などを記載すると、ペンの移動に伴って電子ペンの撮像部が電子ペン用紙上のドットパターンを読み取り、記載者が記載した文字などの記載情報（入力情報）を電子情報として記憶する。
電子ペンが記憶した入力情報は、前記通信部により、電子ペンから近くのパーソナルコンピュータや携帯電話などの通信装置に送信される。
電子ペンを使用する前述の入力システムは、電子ペンがキーボードの役割を果たすのであるが、記載者は、従来どおりの感覚で情報を記載することができる。
前記「Ａｎｏｔｏ社」のデータ入力システムではドットパターンが印刷された電子ペン用紙が使用されるが、前記ドットパターンは、分野別に割り当てられて使用されている。
また、このシステムでは情報の入力を、電子ペンによる微細なドットパターン読み取りによって行われるために、ドットパターンの印刷品質や印刷される用紙の選定は厳密に行われる。
【００１１】
図１を参照して、本実施の形態の透かし入り電子ペン用紙の一例について説明する。
図１は、電子ペン用紙１の表面（情報記載欄４が設けられた面）の一例を示したものである。
電子ペン用紙１の表面には、ドットパターン２が赤外領域の光を吸収するインキ（以下、赤外線吸収インキともいう）で印刷によって形成され、図示しないが帳票名（例えば、「預り証」）や、帳票のデザインが赤外領域の光を吸収しない印刷インキによって形成されている。また、ドットパターンが形成されている面の裏面には赤外領域の光を吸収しないインキ（以下、赤外線非吸収インキともいう）による「ＡＢＣ  ＢＡＮＫ」などの透かし３が印刷によって形成されている。
前述の赤外線吸収インキ、赤外線非吸収インキとは、それぞれ赤外領域で光を吸収し易いインキ、赤外領域で光を吸収し難いインキのことで、１００％吸収又は反射するインキをいうものではない。
【００１２】
電子ペン用紙１の表面に印刷された前記ドットパターン２は、図１に示す例のように、透かし入り電子ペン用紙１の全面に印刷、または、破線で示された情報記載欄４だけに印刷される。
【００１３】
ここで、電子ペンと電子ペン用紙を使用するデータ入力システムの一例について説明する。
電子ペンは、通常の筆記部と、電子ペン用紙の情報記載面に印刷されたドットパターンを読み取るための撮像部と、通信部等を搭載している。
電子ペンは、記載者が電子ペン用紙上に電子ペンで文字などを記載すると、ペンの移動に伴って電子ペンに内蔵された撮像部が、ドットパターンによって表示されたストローク座標情報（以下、単に、座標情報という）を読み取り、通信部が、接続された通信装置に読み取った座標情報を送信する。
通信装置が受信した前記座標情報は、ネット上で接続された電子ペンシステム管理サーバに送信される。電子ペンシステム管理サーバでテキストデータに変換された前記座標情報は、利用者側のサーバや、前記通信装置に返信される。
通信装置内に電子ペンシステム管理サーバ機能が内蔵されている場合は、電子ペンシステム管理サーバ機能によってテキストデータに変換される。
【００１４】
図４を参照して、電子ペンについて説明する。
電子ペン５は、インクカートリッジ５８を伴った筆記部５６，ドットパターンを読み取るデジタルカメラによる撮像部５５，デジタルカメラで読み取られた筆記情報（ドットパターンの座標情報）を記憶する記憶部５３，通信装置に座標情報を送信する通信部５２，これらの機能を制御する制御部５４，電子ペン用の圧力センサ５７，図示しないが電源部，で構成され、これらを電子ペン５の筐体５１の内部に搭載している。
電子ペン５は、電子ペン用紙に印刷されたドットパターン情報を撮像部５５で読み取って記憶部５３で記憶し、図示しないが、電子ペンのユニークな識別情報などと共に通信部５２から通信装置に送信する。
通信部５２は、ＵＳＢ（Ｕｎｉｖｅｒｓａｌ  Ｓｅｒｉａｌ  Ｂｕｓ）対応、または、Ｂｌｕｅｔｏｏｔｈ（Ｔｈｅ  Ｂｌｕｅｔｏｏｔｈ  ＳＩＧ，Ｉｎｃ．の登録商標）対応となっている。
また、電子ペン５の筐体５１に組み込まれた筆記部５６は、単なる筆記具として使用することもできるようになっている。
【００１５】
筆記部５６は、筆記情報を可視状態で記載部に残す役割の他に、デジタルカメラによる撮像部５５と、ドットパターン印刷面との距離を一定にする役割を担っている。
筆記部５６が電子ペン筐体５１に装着されたときに、インクカートリッジ５８側の先端が、電子ペン筐体５１に取り付けられた電子ペン用の圧力センサ５７に接触するようになっている。
この圧力センサ５７は、情報の記載が開始されることを制御部５４に伝える機能と、筆圧の強弱を認識する機能を備えている。
また、インクカートリッジ５８の残量を確認する場合、または、インクを充填する場合は、例えば、筆記部５６を電子ペン筐体５１の先端から引き抜いてインクの残量確認、または、インクの充填を行う。
【００１６】
図５を参照して、電子ペン用紙に印刷されたドットパターンについて説明する。
図に示す縦横の仮想線は、説明し易くするために記載しており、実際には印刷されているわけではない。
電子ペン専用のドットパターンの各ドットは、０．３ｍｍ間隔で形成された直角に交わる縦横の仮想線の交点近傍に、それぞれ異なる４方向の何れかに配置され、形成されている。
前述の「Ａｎｏｔｏ社」のシステムでは、３６個のドット群（約４ｍｍ2の内側に印刷されたドット）２００を１単位情報として扱っている。
【００１７】
前述の電子ペンシステム管理サーバについて説明する。
電子ペンシステム管理サーバは、多くの場合、ＰＬＳサーバと、ＡＳＨサーバに分けられて使用される。
通信装置から送信された座標情報は、まず、ＰＬＳ（Ｐａｐｅｒ  Ｌｏｏｋ−ｕｐ  Ｓｅｒｖｉｃｅ）と呼ばれる電子ペンシステム管理サーバに送信される。
ＰＬＳサーバは、受信したドットパターンの座標情報から、使用されているアプリケーションを割り出して、そのアプリケーション支援を行うＡＳＨ（Ａｐｐｌｉｃａｔｉｏｎ  Ｓｅｒｖｉｃｅ  Ｈａｎｄｌｅｒ）サーバのＵＲＬ（Ｕｎｉｆｏｒｍ  Ｒｅｓｏｕｒｃｅ  Ｌｏｃａｔｏｒ）と座標情報を通信装置に送信する。
【００１８】
前述の通信装置について説明する。
通信装置は、例えば、キーボードなどの入力手段，インターネットに接続されて入力情報を送受信する送受信手段，ディスプレイなどの表示手段，入力情報や読み込んだ情報を保存する保存手段を有する携帯電話，ＰＤＡ（Ｐｅｒｓｏｎａｌ  Ｄｉｇｉｔａｌ  Ａｓｓｉｓｔａｎｃｅ），パーソナルコンピュータのような装置である。
通信装置は、前述のように、電子ペン５から送信された情報を電子ペンシステム管理サーバに送信し、テキストデータなどに変換された情報として受信する。
【００１９】
図２を参照して、図１のＡ−Ａ線断面について説明する。
電子ペンに使用される光源は、赤外領域の光源である場合が多く、電子ペン用紙基材１０のおもて面には、赤外線吸収インキによって印刷されたドットパターン２及び、帳票名や帳票のデザインが赤外線非吸収インキによって形成（図示せず）されている。また、赤外線非吸収インキによる透かし３が電子ペン用紙基材の裏側に印刷によって形成されている。
【００２０】
当然のことながら、電子ペン用紙基材の、とりわけ、ドットパターン２が形成された面には赤外領域の光を吸収するコーティング材料は使用しない。
また、透かし３はドットパターン２が形成された面の裏面に形成されるにしても、電子ペンがドットパターン２を読み取る際に妨げとなるために、赤外線非吸収インキによって形成されることが好ましい。
【００２１】
図３を参照して、透かし３がドットパターンと同一面に印刷された例について説明する。
透かし３を形成するために使用される印刷インキには、通常の印刷インキ（プロセスインキ）に比べ、電子ペン用紙基材に浸透しやすい成分を多く含むインキや、ワックス成分を多く含むインキが使用される。
そのために、例えば、透かし３を先に印刷し、その後からドットパターン２を印刷した場合、透かし印刷部分が電子ペン用紙基材１０の表面より突出しているため、その上に印刷されたドットパターン２が擦れなどによって摩滅し易い状態になる。
一方、ドットパターン２を先に印刷し、透かし３をその上から印刷した場合、ドットパターンインキが透かしインキの浸透を妨げ、透かしパターンが不鮮明となる。また、透かし部分とその周辺部とで反射率が異なってくるためにドットパターンを正しく読み取ることができなくなる。
そこで、透かし３は、図２に示したように電子ペン用紙基材１０の裏面に印刷する。
【００２２】
（実施例）
図２を一部参照して、本実施形態に使用される材料について説明する。
電子ペン用紙の用紙基材１０は、裏面に印刷された透かしインキ３によってその部分だけ透けて視認されなければならない。したがって、用紙基材は厚すぎてはいけないし、無機質などがコーティングされていてもいけないために、市販の坪量６４〜８１ｇ／ｍ2の上質紙を使用した。
透かしインキ３には、「東洋インキ製造製  ＳＭＸ擬似透かしインキ１口ＸＨ」を使用し、レタープレス（凸版）方式で印刷した。
また、ドットパターン２の印刷には波長９００ｎｍ領域で反射率が最も低いドットパターン印刷用インキ、「ザ・インクテック（株）製  ＵＶＢＦＳＧインキ」を使用した。
表裏の図柄には、データ入力に邪魔にならない淡い色の３色印刷図柄を選択し、市販のプロセスインキを使用し、オフセット方式で印刷した。
「Ａｎｏｔｏ社」のデータ入力システムで使用されている電子ペン，通信装置を使用して試験を行った結果、良好な読取り結果を示した。
【産業上の利用可能性】
【００２３】
偽造が懸念される電子ペン用紙に利用できる。
【符号の説明】
【００２４】
１      電子ペン用紙
２      ドットパターン，ドットパターンインキ
３      透かし，透かしパターン，透かしインキ
４      情報記載欄
５      電子ペン
１０    電子ペン用紙基材
５１    筐体
５２    通信部
５３    記憶部
５４    制御部
５５    撮像部
５６    筆記部
５７    圧力センサ
５８    インクカートリッジ
２００  ３６個のドット群
【図１】
2011124903.tif 000003
【図２】
2011124903.tif 000004
【図３】
2011124903.tif 000005
【図４】
2011124903.tif 000006
【図５】
2011124903.tif 000007